(57)【要約】      （修正有）【課題】配光制御用の光学部品の落下防止が図られるととともに、その光学部品の回転が容易に行える照明器具を提供する。【解決手段】照明器具は、一端側に投光開口が設けられ、投光開口から放射光が出射されるように光源が収納された器具本体と、外周縁部３ｂに取手１２を有し、投光開口の周回方向に回動可能となるように投光開口に対向して器具本体に配設され、回動によって光源の放射光の配光を可変するように形成された光学部品３と、光学部品３の外周縁部３ｂを係止する突出部１８を有し、突出部１８は、複数の係止片２０を備えており、一部の係止片２０ｂが光学部品３の外周縁部３ｂを係止している状態で光学部品３の取手１２が回動により当接したときに光学部品３の回動に伴って他の係止片２０ａが一部の係止片２０ｂに代わって光学部品３の外周縁部３ｂを係止するように移動するように設けられた支持体４を具備している。【選択図】図５
2012199166.tif 000002
【特許請求の範囲】
【請求項１】
一端側に投光開口が設けられ、この投光開口から放射光が出射されるように光源が収納された器具本体と；
外周縁部に取手を有し、前記投光開口の周回方向に回動可能となるように前記投光開口に対向して前記器具本体に配設され、前記回動によって前記光源の放射光の配光を可変するように形成された光学部品と；
この光学部品の外周縁部を係止する突出部を有し、この突出部は、複数の係止片を備えており、一部の係止片が光学部品の外周縁部を係止している状態で光学部品の取手が回動により当接したときに光学部品の回動に伴って他の係止片が一部の係止片に代わって光学部品の外周縁部を係止するように移動するように設けられた支持体と；
を具備していることを特徴とする照明器具。
【発明の詳細な説明】
【技術分野】
【０００１】
本発明の実施形態は、光学部品により配光制御される照明器具に関する。
【背景技術】
【０００２】
舞台やスタジオ等の演出照明には、例えばレンズにより配光制御されるスポットライトが使用されている。このスポットライトは、例えば光源ユニットを回動可能に光源ユニットの両側面に取り付けられた例えばコ字状のアームに対して、光源ユニットを回動させることにより投光方向が可変されている。そして、例えば一対の投影レンズを配設した投影ユニットが光源ユニットの投光側に設けられており、一対の投影レンズの位置を調整することにより、投光の拡大、縮小やフオーカシングが行われているものがある（例えば特許文献１参照。）。
【０００３】
また、光源ユニットの投光側の外側にレンズを着脱可能にしているスポットライトが提供されている（例えば非特許文献１参照。）。当該スポットライトは、レンズを交換することにより、スポットからフラッドまでの配光制御が可能となっている。ここで、方向性のあるレンズに対しては、装着したレンズを回転して位置調整を行うことにより、配光の調整を行っている。そして、レンズの交換および回転を容易にするために、レンズは、例えば光源ユニットの投光側に設けた係止片などにより支持されている。
【０００４】
そして、レンズは、相応の大きさや重量を有するので、上記回転を容易にするために、通常、指で掴むための取手が外周縁部に設けられている。この取手を有するレンズは、係止片などにより係止された状態で上記回転が行われる。すなわち、スポットライトは、その投光側が下方を向いており、レンズが下方に落下しないように係止された状態でレンズの上記回転が行われている。
【先行技術文献】
【特許文献】
【０００５】
【特許文献１】特開２０１０−１９２３７１号公報（第４−５頁、第１，５図）
【非特許文献１】東芝ライテック株式会社カタログ、「Art  Lighting  Product」Vol.8、２００９年１０月、Ｐ１７
【発明の概要】
【発明が解決しようとする課題】
【０００６】
レンズは、その外周縁部が例えば係止片により支持されているので、レンズが回転されたときにレンズの取手が係止片に当接することがある。この場合、係止片による係止を解除し、レンズの取手が係止片に干渉しないようにしてレンズの回転が行われることになり、その解除の期間に亘ってレンズを光源ユニット側に押し付けるようにして回転させる必要があった。このとき、スポットライトの投光側が下方を向いている場合には、レンズは相応の重量を有するレンズを落下させないようにするための作業者の負担が大きいものであった。
【０００７】
本実施形態は、配光制御用の光学部品の落下防止が図られるととともに、その光学部品の回転が容易に行える照明器具を提供することを目的とする。
【課題を解決するための手段】
【０００８】
本実施形態の照明器具は、器具本体、光学部品および支持体を有して構成される。
【０００９】
器具本体は、一端側に投光開口が設けられているとともに、光源を収納している。光源は、投光開口から放射光が出射されるように器具本体内に設けられている。
【００１０】
光学部品は、外周縁部に取手を有してなり、器具本体の投光開口の周回方向に回動可能となるように投光開口に対向して器具本体に配設されている。そして、光学部品は、器具本体の投光開口の周回方向に回動することにより、光源の放射光の配光を可変するように形成されている。
【００１１】
支持体は、光学部品の外周縁部を係止する突出部を有して形成されている。突出部は、複数の係止片を備えている。そして、突出部は、一部の係止片が光学部品の外周縁部を係止している状態で光学部品の取手が回動により当接したときに光学部品の回動に伴って他の係止片が一部の係止片に代わって光学部品の外周縁部を係止するように、移動するように設けられている。
【発明の効果】
【００１２】
本発明の実施形態によれば、複数の係止片を備えていて、一部の係止片が光学部品の外周縁部を係止している状態で光学部品の取手が回動により当接したときに光学部品の回動に伴って他の係止片が一部の係止片に代わって光学部品の外周縁部を係止するように移動する突出部を有する支持体を備えているので、光学部品を回動させるときに、光学部品が常に支持体の突出部に支持されるので、光学部品が常に器具本体から落下することを防止できるとともに、光源の配光制御を迅速に行なうことが期待できる。
【図面の簡単な説明】
【００１３】
【図１】本発明の実施形態を示す照明器具の概略側面図である。
【図２】同じく、照明器具の概略正面図である。
【図３】同じく、光学部品の概略斜視図である。
【図４】同じく、光学部品の支持を示す器具本体の一部概略側面図である。
【図５】同じく、支持体の概略正面図である。
【図６】同じく、光学部品の回動時における支持体の概略正面図である。
【発明を実施するための形態】
【００１４】
以下、本発明の一実施の形態について、図面を参照して説明する。
【００１５】
本実施形態の照明器具１は、図１ないし図６に示すように構成されている。
【００１６】
図１において、照明器具１は、スポットライトに構成され、器具本体２、光学部品としてのレンズ３および支持体４を備えている。
【００１７】
器具本体２は、アルミニウム合金板からなり、一端側２ａが径大の略四角筒状に形成され、他端側２ｂの内部にハロゲンランプ等の光源５を収納し、一端側２ａに円形状の投光開口６が設けられ、中央側２ｃの外面にコ字状に折曲された支持アーム７が取り付けられている。また、図２に示すように、投光開口６に設けられたステンレス製メッシュ付きガラスフィルタ８と、このガラスフィルタ８の周囲に配設されたバンドア９を備えている。器具本体２は、投光開口６から放射光が出射されるように光源５を収納している。
【００１８】
ガラスフィルタ８は、ガラス破損時の破片の飛散防止のため、ステンレス製のセーフティメッシュが付加されている。
【００１９】
バンドア９は、ガラスフィルタ８の縁に回動可能に取り付けられた上下の矩形状の羽９ａと、左右の先細り状の羽９ｂとからなっている。これら矩形状の羽９ａと、先細り状の羽９ｂとを展開して、バンドア９の先端側の開口面積を調整し、光源５の放射光の照射範囲を可変できるようになっている。そして、バンドア９は、図１に示すように、器具本体２の一端側２ａに回転可能に設けられた４個の継ぎ手１０に取り付けられている。
【００２０】
支持アーム７は、器具本体２を回動可能に支持しており、また、所望の位置で固定でき、放射光の照射方向を変更できるようになっている。支持アーム７の略中央部には、接続用固定具１１がねじ等の固定手段により取り付けられている。接続用固定具１１は、照明器具１をスタンドやハンガー等の照明用機材に接続し固定するために用いる。
【００２１】
レンズ３は、ガラスからなり、図３に示すように、外面３ａが膨出した円形状に形成されている。そして、外周縁部３ｂには、取手１２を有する円形状の包囲体１３が取り付けられている。取手１２は、指で掴むことのできるように半リング状に形成され、レンズ３の外面３ａ側に突出している。すなわち、レンズ３は、外周縁部３ｂに取手１２を有している。
【００２２】
取手１２は、レンズ３の回動を容易に行うために、少なくとも指で掴むことのできるように形成されている。また、取手１２は、レンズ３の内側が光源５の放射光の配光制御の部位であるので、外周縁部３ｂに設けられている。ここで、取手１２は、レンズ３に直接設けてもよいが、レンズ３を包囲して嵌め込む包囲体１３に設けることにより、容易に設けられる。
【００２３】
そして、レンズ３は、図２に示すように、器具本体２の一端側２ａに取り付けられた２個の支持部材１４と、１個の支持体４とにより、投光開口６の周回方向に回動可能となるように投光開口６に対向して配設されている。すなわち、器具本体２の投光開口６の周縁と、支持部材１４および支持体４との間が包囲体１３のレンズ３の突出方向の高さよりも幾分大きくなっている。
【００２４】
支持部材１４は、長方形の固定部１４ａ部およびこの固定部１４ａの長手方向一端から立設して固定部１４ａと反対側に延出している長方形の押え部１４ｂを有する板状に形成されている。そして、固定部１４ａが器具本体２にねじ止めされている。押え部１４ｂの固定部１４ａに対する立設寸法が包囲体１３の高さ寸方よりも幾分大きくなっている。２個の支持部材１４は、レンズ３の中心３ｃよりも下方側において、レンズ３が器具本体２から脱落しないように包囲体１３を左右対称に支持している。
【００２５】
図３において、レンズ３の外面３ａには、中心３ｃに対して対称に図示しない例えば格子状の模様が形成されている。すなわち、レンズ３は、方向性を有し、器具本体２の投光開口６の周回方向に回動されることにより、光源５の放射光の配光を調整する。図中、左右方向に１８０°の範囲で回動して、レンズ３の位置が調整されることにより、所定の配光が得られる。
【００２６】
支持体４は、図４に示すように、器具本体２の一端側２ａに回転可能に設けられた継ぎ手１０に取り付けられている。そして、継ぎ手１０が器具本体２の投光開口６側に回転されたときに、レンズ３を係止するように設けられている。継ぎ手１０の内側には、取付け板１５が突出して設けられており、この取付け板１５にねじ１６およびナット１７ａ，１７ｂ等により支持体４が取り付けられている。ねじ１６およびナット１７ａは、支持体４を取付け板１５に完全に締め付けていなく、支持体４が取付け板１５において回転可能に締め付けている。ナット１７ｂは、ナット１７ａが緩まないようにねじ１６に強く締め付けられている。これにより、支持体４がねじ１６を中心軸として回転可能となっている。
【００２７】
支持体４は、図５に示すように、レンズ３の包囲体部１３を係止することによりレンズ３の外周縁部３ｂを係止する突出部１８を有して形成されている。ここで、ねじ１６、ナット１７ａ，１７ｂおよびワッシャ１９なども支持体４を構成している。突出部１８は、複数の係止片２０を備えている。ここでは、突出部１８は、３個の係止片２０ａ〜２０ｃを備えている。図５中、係止片２０ｂが包囲体１３の取手１２の内側において、包囲体１３を係止している。
【００２８】
突出部１８は、３個の係止片２０ａ〜２０ｃのうちの２個が同時に包囲体１３を係止できるように、係止片２０，２０間の角度、係止片２０の幅や突出長などが設定されている。すなわち、突出部１８は、一部の係止片２０（例えば係止片２０ｂ）が包囲体１３を介してレンズ３の外周縁部３ｂを係止している状態で、包囲体１３の取手１２が回動によって当接したときにレンズ３の回動に伴って他の係止片２０（例えば係止片２０ａまたは係止片２０ｃ）が、図６に示すように、一部の係止片２０（係止片２０ｂ）に代わって包囲体１３を介してレンズ３の外周縁部３ｂを係止するように回転して移動するように継ぎ手１０の取付け板１５に設けられている。
【００２９】
また、突出部１８は、係止片２０ａおよび係止片２０ｃが継ぎ手１０の一部に当接し、さらに当接方向に回転しないように設けられている。すなわち、突出部１８が係止片２０ａ側から係止片２０ｃ側（図５中、右回り）に回転したときに係止片２０ｃが継ぎ手１０に当接してさらに回転することが阻止され、係止片２０ｃ側から係止片２０ａ側（図５中、左回り）に回転したときに係止片２０ａが継ぎ手１０に当接してさらに回転することが阻止される。レンズ３は、その中心３ｃに対して略１８０°の範囲で回動可能となっている。
【００３０】
次に、本実施形態の作用について述べる。
【００３１】
光学部品としてのレンズ３は、その中心３ｃよりも下方側が器具本体２に固定された２個の支持部材１４により係止され、上方側が１個の支持体４により係止される。支持部材１４および支持体４は、それぞれ包囲体１３を介してレンズ３の外周縁部３ｂを係止している。
【００３２】
照明器具１は、光源５の放射光に対して、スポットからフラッドまでの配光を可変するときに、レンズ３の交換を行う。このとき、レンズ３が方向性を有すると、レンズ３が支持部材１４および支持体４に係止された状態で、レンズ３を回動させることにより、配光の調整が行われる。
【００３３】
また、照明器具１は、例えば光源５の放射光を斜め方向から被照射対象に照射するように固定物に取り付けられる。このとき、被照射対象での例えば楕円配光を円形状側に配光制御するために、レンズ３を回動させるものがある。
【００３４】
レンズ３は、その外周縁部３ｂに取手１２を有しているので、回動されると、外周縁部３ｂを係止している支持体４に当接する。しかし、上述したように、突出部１８が回転して移動し、一部の係止片２０に代えて他の係止片２０がレンズ３を係止する。すなわち、レンズ３は、支持部材１４および支持体４に係止された状態で、シームレスに回動される。
【００３５】
本実施形態によれば、複数の係止片２０のうちの一部の係止片２０ｂがレンズ３の外周縁部３ｂを係止している状態で、レンズ３の取手１２が回動により当接したときにレンズ３の回動に伴って他の係止片２０ａ，２０ｃが一部の係止片２０ｂに代わってレンズ３の外周縁部３ｂを係止するように回転する突出部１８を有する支持体４を備えているので、レンズ３を回動させるときに、レンズ３が常に支持体４の突出部１８に支持されるとともにシームレスに回動され、これにより、レンズ３が常に器具本体２から落下することを防止できるとともに、光源５の配光制御を迅速に行なうことができるという効果を有する。
【００３６】
なお、２個の支持部材１４に代えて、支持体４を回転可能に設けてもよい。この場合、レンズ３は、投光開口６の右回りまたは左回りに自由に回転することができる。
【００３７】
また、光学部品は、レンズ３に限らず、フィルタなどであってもよい。
【符号の説明】
【００３８】
１…照明器具、  ２…器具本体、  ３…光学部品としてのレンズ、  ４…支持体、  ５…光源、  ６…投光開口、  １２…取手、  １８…突出部、  ２０…係止片
【図１】
2012199166.tif 000003
【図２】
2012199166.tif 000004
【図３】
2012199166.tif 000005
【図４】
2012199166.tif 000006
【図５】
2012199166.tif 000007
【図６】
2012199166.tif 000008